(57)【特許請求の範囲】
【請求項１】
ビデオサーバに登録された複数種類のフォーマットの放送素材を、データサーバに格納された放送素材送出スケジュール情報に基づいて送出する放送番組送出装置の放送素材送出スケジュール情報報知方法において、
前記データサーバは、複数種類の放送素材送出スケジュール情報を格納し、該格納された複数種類の放送素材送出スケジュール情報を操作表示部に送出し、該操作表示部は前記複数種類の放送素材送出スケジュール情報を同一画面上に表示し、該表示で前記複数種類の放送素材の送出スケジュール情報を報知し、前記複数種類の放送素材送出スケジュール情報が前記同一画面上に表示されている場合で同時スクロールボタンをマウスでクリックすると、前記同一画面上に表示されている前記複数種類の放送素材送出スケジュール情報が同時に同じ方向にスクロールされることを特徴とする放送素材送出スケジュール情報報知方法。
【請求項２】
ビデオサーバに登録された複数種類のフォーマットの放送素材を、データサーバに格納された放送素材送出スケジュール情報に基づいて送出する放送番組送出装置の放送素材送出スケジュール情報報知方法において、
前記データサーバは、第１のフォーマットの放送素材送出スケジュール情報と第２のフォーマットの放送素材送出スケジュール情報を格納し、該格納された前記第１と第２のフォーマットの放送素材送出スケジュール情報を操作表示部に送出し、該操作表示部は前記第１と第２のフォーマットの放送素材送出スケジュール情報を同一画面上に表示し、該表示で前記第１と第２のフォーマットの放送素材送出スケジュール情報を同時に報知し、前記複数種類の放送素材送出スケジュール情報が前記同一画面上に表示されている場合で同時スクロールボタンをマウスでクリックすると、前記同一画面上に表示されている前記複数種類の放送素材送出スケジュール情報が同時に同じ方向にスクロールされることを特徴とする放送素材送出スケジュール情報報知方法。
【請求項３】
請求項１乃至２記載の放送素材送出スケジュール情報報知方法において、
前記操作表示部で、所定のフォーマットの所定の放送素材に関する放送素材送出スケジュール情報を選択する操作がなされたとき、前記選択した放送素材送出スケジュール情報と共に、前記選択した放送素材送出スケジュール情報と関連し、且つ前記選択した放送素材送出スケジュール情報とは異なるフォーマットの放送素材送出スケジュール情報を、前記操作表示部に表示することを特徴とする放送素材送出スケジュール情報報知方法。
【請求項４】
請求項２記載の放送素材送出スケジュール情報報知方法において、
前記第１のフォーマットの放送素材は、ＨＤ−ＳＤＩフォーマットの放送素材であり、前記第２のフォーマットの放送素材は、ＳＤ−ＳＤＩフォーマットの放送素材であることを特徴とする放送素材送出スケジュール情報報知方法。
【発明の詳細な説明】
【技術分野】
【０００１】
本発明は、放送素材送出スケジュール情報（以下、プレイリストと称する）に従ってビデオサーバに登録された放送素材を送出する放送番組送出装置のプレイリスト表示に関するものである。
【背景技術】
【０００２】
従来、各放送局は地上アナログ放送波のみを送信していたことにより、各放送局の放送番組送出装置のプレイリストも地上アナログ放送波用の放送素材に関するプレイリスト１種類しかなかったため、プレイリストを確認するとき、操作者の所定の操作により１種類しかないプレイリストを放送番組送出装置の操作表示部に表示させていた。また、放送番組送出装置のビデオサーバには、ＳＤ−ＳＤＩ（Standard Definition-Serial Digital Interface）フォーマットの放送素材のみを登録していた。なお、ＳＤ−ＳＤＩフォーマットについては、ＡＲＩＢ  ＳＴＤ  ＢＴＡ  Ｆ−１００２（非特許文献１）に記載されているため、詳細な説明は省略する。
しかし、近年、地上波放送のデジタル化により、地上アナログ放送波だけでなく、地上デジタル放送波も各放送局が送信するようになると、放送素材のプレイリストも地上アナログ放送波用の放送素材に関するプレイリストと地上デジタル放送波用の放送素材に関するプレイリストとを有するようになった。即ち、２種類のプレイリストを有するようになった。そして、ＳＤ−ＳＤＩフォーマットの放送素材を地上アナログ放送波用の放送素材として、ＨＤ−ＳＤＩ（High Definition-Serial Digital Interface）フォーマットの放送素材を地上デジタル放送波用の放送素材として、通常、用いられるようになった。なお、ＨＤ−ＳＤＩフォーマットについては、ＡＥＳ−３  １９９２年  ２チャンネル直線量子化デジタルオーディオデータのシリアル伝送規格（非特許文献２）、ＡＲＩＢ  ＳＴＤ  ＢＴＡ  Ｓ−００５Ｂ（非特許文献３）、ＡＲＩＢ  ＳＴＤ  ＢＴＡ  Ｓ−００６Ｂ（非特許文献４）に記載されているため、詳細な説明は省略する。
２種類の放送波を各放送局が送信することで、２種類のプレイリストを有するようになったため、従来の放送番組送出装置では、２種類あるプレイリストの内、操作者の所定の操作により選択した１つのプレイリストのみを操作表示部の表示画面に表示させていた。なお、プレイリストの選択は、プレイリストの種別（地上デジタル放送波用か、地上アナログ放送波用か）を入力するためのプレイリスト種別入力画面が表示されているときに、操作者が種別を入力することにより行い、種別入力により選択されたプレイリストを表示させていた。そして、前述のプレイリスト選択操作により、選択したプレイリストが表示されたものの、別のプレイリストの表示に変えたい場合、所定の操作を行うことにより、一旦、プレイリスト種別入力画面を表示させ、別のプレイリストの種別を操作者が入力することにより、別のプレイリストを表示させていた。
このプレイリスト表示方法により、例えば、地上アナログ放送波用の放送素材に関するプレイリストと地上デジタル放送波用の放送素材に関するプレイリストを確認する場合、プレイリスト種別入力画面で操作者が一方のプレイリスト（例えば、地上デジタル放送波用のプレイリスト）を選択するための操作を行うことで選択したプレイリスト（例えば、地上デジタル放送波用のプレイリスト）を表示させて確認作業を行った後、所定の操作を行ってプレイリスト種別入力画面に戻し、もう一方のプレイリスト（例えば、地上アナログ放送波用のプレイリスト）を選択するための操作を行うことで、もう一方のプレイリスト（例えば、地上アナログ放送波用のプレイリスト）を表示させて確認作業を行っていた。
【非特許文献１】ＡＲＩＢ  ＳＴＤ  ＢＴＡ  Ｆ−１００２  デジタル映像信号の直列インタフェースにおける補助信号領域へのＡＥＳ／ＥＢＵオーディオの多重方法技術資料
【非特許文献２】ＡＥＳ−３  １９９２年  ２チャンネル直線量子化デジタルオーディオデータのシリアル伝送規格
【非特許文献３】ＡＲＩＢ  ＳＴＤ  ＢＴＡ  Ｓ−００５Ｂ  １１２５／６０方式ＨＤＴＶビット直列インタフェースにおける補助データの共通規格
【非特許文献４】ＡＲＩＢ  ＳＴＤ  ＢＴＡ  Ｓ−００６Ｂ  １１２５／６０方式ＨＤＴＶビット直列インタフェースにおける補助データの共通規格
【発明の開示】
【発明が解決しようとする課題】
【０００３】
前述の従来の放送番組送出装置では、地上アナログ放送波用の放送素材に関するプレイリストと地上デジタル放送波用の放送素材に関するプレイリストを確認する等、複数のプレイリストを確認する場合、前述の通り、プレイリスト種別入力画面からのプレイリスト表示画面への切換操作だけでなく、プレイリスト表示画面からプレイリスト種別入力画面への切換操作も操作者は行わなければならないという欠点があった。
そこで本発明では、各放送局が、例えば、地上アナログ放送波と地上デジタル放送波の２つの放送波を送信する等、複数の放送波を送信するときでも、表示画面を切り換える操作を操作者が何度も行うことなしに、各放送波用の放送素材のプレイリストの確認が行える放送番組送出装置を提供することを目的とする。
【課題を解決するための手段】
【０００４】
本発明は、前述の目的を達成するために、ビデオサーバに登録された複数種類のフォーマットの放送素材を、データサーバに格納されたプレイリストに基づいて送出する放送番組送出装置のプレイリスト報知方法において、前記データサーバは、複数種類のプレイリストを格納し、該格納された複数種類のプレイリストを操作表示部に送出し、該操作表示部は前記複数種類のプレイリストを同一画面上に表示し、該表示で前記複数種類のプレイリストを報知するようにしたものである。
更に詳しくは、前記データサーバは、第１のフォーマットのプレイリストと第２のフォーマットのプレイリストを格納し、該格納された前記第１と第２のフォーマットのプレイリストを操作表示部に送出し、該操作表示部は前記第１と第２のフォーマットのプレイリストを同一画面上に表示し、該表示で前記第１と第２のフォーマットのプレイリストを同時に報知するようにしたものである。
更に詳しくは、前記操作表示部で、所定のフォーマットの所定の放送素材に関するプレイリストを選択する操作がなされたとき、前記選択したプレイリストと共に、前記選択したプレイリストと関連し、且つ前記選択したプレイリストとは異なるフォーマットのプレイリストを、前記操作表示部に表示するようにしたものである。
【発明の効果】
【０００５】
以上説明したように本発明によれば、放送局が地上デジタル放送波と地上アナログ放送波を送信する等、複数の放送波を送信する場合であっても、各放送波用の放送素材に関するプレイリストを放送番組送出装置の操作表示部の同一画面上に表示することにより、表示画面の切換操作を行うことなく各放送波用の放送素材に関するプレイリスト（例えば、地上デジタル放送波用の放送素材に関するプレイリストと地上アナログ放送波用の放送素材に関するプレイリスト）を同時に確認することができる。
また、地上デジタル放送波用の放送素材に関するプレイリストと地上アナログ放送波用の放送素材に関するプレイリストを表示させる際、どちらか一方のプレイリストの内の所定の放送素材に関するプレイリスト（例えば、地上デジタル放送波用で、１８時〜１９時にオンエアされる放送素材に関するプレイリスト）を選択する操作が操作表示部でなされたとき、選択されたプレイリストと関連し、且つ選択したプレイリストとは種別が異なるプレイリスト（例えば、地上アナログ放送波用で、１８時〜１９時にオンエアされる放送素材に関するプレイリスト）を自動的に呼び出して、選択したプレイリストと共に操作表示部に表示させることができる。
【発明を実施するための最良の形態】
【０００６】
以下、本発明の一実施例である放送番組送出装置について、図面を用いて詳細に説明する。図１は本実施例の放送番組送出装置の構成を示すブロック図である。図１において、１０１は、放送局の営業、編成、放送までを一貫して管理するＥＤＰＳ（Electronic Data Processing System）端末であり、地上デジタル放送波用のプレイリストと地上アナログ放送波用のプレイリストを送出する。１０２は、ＥＤＰＳ端末１０１より送出された地上デジタル放送波用のプレイリストと地上アナログ放送波用のプレイリストとを記憶するデータサーバである。１０３は、各フォーマットの放送素材（例えば、地上デジタル放送波用の放送素材の場合、ＨＤ−ＳＤＩフォーマットの放送素材、地上アナログ放送波用の放送素材の場合、ＳＤ−ＳＤＩフォーマットの放送素材）が記憶されているビデオテープがセットされたＶＴＲである。１０４は、ＶＴＲ１０３から送出された各フォーマットの放送素材を登録すると共に登録された放送素材をオンエア時に送出するビデオサーバである。このビデオサーバ１０４は、ランダムアクセス方式で映像信号や音声信号を記憶し、再生することができる記憶装置であり、例えば、ＨＤＤ（Hard Disk Drive）等で構成される。
１０５は、ＶＴＲ１０３からの放送素材の送出、ビデオサーバ１０４への放送素材の登録を制御する登録制御装置である。１０６は、操作者が所定の操作を行ったとき、データサーバ１０２に格納されている地上デジタル放送波用のプレイリストと地上アナログ放送波用のプレイリスト（以下、両プレイリストと称する）を表示すると共に、両プレイリストにある各放送素材の登録状況（ビデオサーバ１０４への登録が済んだ放送素材であるか、まだビデオサーバ１０４への登録は行われていない放送素材であるか）も表示する登録端末である。また、登録端末１０６は、ビデオサーバ１０４への放送素材の登録作業を行うときに操作する端末である。１０７は、ＥＤＰＳ端末１０１より送出された両プレイリストを記憶すると共に、両プレイリストに従って、ビデオサーバ１０４からのＨＤ−ＳＤＩフォーマットの放送素材、ＳＤ−ＳＤＩフォーマットの放送素材の送出を制御する送出制御装置である。１０８は、操作者が所定の操作を行ったとき、地上デジタル放送波用のプレイリストと地上アナログ放送波用のプレイリストを表示することにより、オンエア前にプレイリストを確認すると共に、各放送素材の送出状況（各放送素材がプレイリストに従ってビデオサーバ１０４から送出されたか否か）を監視する監視端末である。なお、登録端末１０６は両プレイリストと共に各放送素材の登録状況も表示されることで、各放送素材の登録状況を確認するのに用い、監視端末１０８は表示された両プレイリストからオンエア前に放送素材の送出順序を確認するのに用いる。
以下、登録端末１０６及び監視端末１０８の動作について、説明する。登録端末１０６、監視端末１０８は、共にプレイリスト表示プログラムを格納したメモリ（図示せず）と、中央処理ユニット（図示せず）を有し、それぞれプレイリスト表示プログラムに従って動作するコンピュータである。登録端末１０６のメモリ（図示せず）は、後で詳述する図２に示されたフローチャートのプレイリスト表示プログラムを、監視端末１０８のメモリ（図示せず）は後で詳述する図３に示されたフローチャートのプレイリスト表示プログラムを格納しており、それぞれのメモリに格納されたフローチャートに記述された動作が実行されるように働く。登録端末１０６もしくは監視端末１０８のプレイリスト表示プログラムを実行すると、プレイリスト要求信号がデータサーバ１０２に送出された後、データサーバ１０２から送出されたプレイリストが表示される。なお、登録端末１０６では、プレイリストに表示された各放送素材の登録状況についても表示される。
登録端末１０６及び監視端末１０８の詳細動作について説明する前に、まず、ＥＤＰＳ端末１０１からデータサーバ１０２に送出される両プレイリストについて説明する。両プレイリストは、各番組に関する情報として、（１）各番組に割り当てられた番組コード、（２）各番組の送出開始時刻、（３）各番組の放送時間、（４）各番組の放送内容により構成されており、放送素材に関する情報として、（５）番組を構成する各放送素材に対して割り当てられた放送素材コード、（６）各放送素材の送出開始時刻、（７）各放送素材の放送時間、（８）各放送素材の放送素材内容により構成されている。このプレイリストの一例を図４に示す。このプレイリストでは、地上デジタル放送波用の番組についての番組コード及び放送素材についての放送素材コードの先頭はＤであり、地上アナログ放送波用の番組についての番組コード及び放送素材についての放送素材コードの先頭はＡである。
登録端末１０６のプレイリスト表示プログラムを実行することによる各部の動作について、図２を用いて説明する。図２は、プレイリスト表示プログラムを実行させたときの登録端末１０６の動作を示すフローチャートである。本実施例の放送番組送出装置の電源を立ち上げたとき、登録端末１０６は、図５の通り、プレイリスト表示欄４０４、４０５が空白のプレイリスト表示画面４０１が表示される（ステップ２０１）。プレイリスト表示欄４０４、４０５が空白のプレイリスト表示画面４０１が登録端末１０６に表示されているとき、操作者がプレイリスト種別入力欄４０２にプレイリストの種別を入力する（例えば、地上デジタル放送波用の場合ではＨＤと入力し、地上アナログ放送波用の場合ではＳＤ  と入力する）と共に、表示ボタン４０７をマウスでクリックすることでプレイリストの種別を選択する（ステップ２０２）と、登録端末１０６は、データサーバ１０２にプレイリスト要求信号（プレイリストの送出を要求する信号）とプレイリスト種別情報（プレイリスト種別入力欄４０２に入力された種別情報）を送出する（ステップ２０３）。
例えば、プレイリスト種別入力欄４０２にＨＤと入力されたとき、データサーバ１０２に送出されるプレイリスト種別情報は、地上デジタル放送波用であり、一方、プレイリスト種別入力欄４０２にＳＤと入力されたとき、データサーバ１０２に送出されるプレイリスト種別情報は、地上アナログ放送波用である。
データサーバ１０２は、登録端末１０６からのプレイリスト要求信号とプレイリスト種別情報を受信すると、受信したプレイリスト種別情報のプレイリストだけでなく、受信したプレイリスト種別情報のプレイリストと関連するプレイリスト（例えば、受信したプレイリスト種別情報が地上デジタル放送波用の場合、関連するプレイリストは地上アナログ放送波用のプレイリスト）も格納されているか否かを判定する。
そして、データサーバ１０２は受信したプレイリスト種別情報のプレイリストだけでなく、受信したプレイリスト種別情報のプレイリストと関連するプレイリストを有していると判定したとき、受信したプレイリスト種別情報のプレイリストだけでなく、受信したプレイリスト種別情報のプレイリストと関連するプレイリストを登録端末１０６へ送出する。例えば、受信したプレイリスト種別情報が地上デジタル放送波用で、データサーバ１０２は、地上デジタル放送波用だけでなく、地上アナログ放送波用のプレイリストも有しているとき、両プレイリストを登録端末１０６へ送出する。
一方、受信したプレイリスト種別情報のプレイリストを有しているものの、受信したプレイリスト種別情報のプレイリストと関連するプレイリストを有していないとデータサーバ１０２が判定したとき、受信したプレイリスト種別情報のプレイリストのみを登録端末１０６へ送出する。例えば、受信したプレイリスト種別情報が地上デジタル放送波用で、データサーバ１０２は、地上デジタル放送波用のプレイリストを有しているものの、このプレイリストと関連する地上アナログ放送波用のプレイリストを有していないとき、地上デジタル放送波用のプレイリストのみを登録端末１０６へ送出する。また、受信したプレイリスト種別情報が地上アナログ放送波用で、データサーバ１０２は、地上アナログ放送波用のプレイリストのみを有しているものの、このプレイリストと関連する地上デジタル放送波用のプレイリストを有していないとき、データサーバ１０２は、地上アナログ放送波用のプレイリストのみを登録端末１０６へ送出する。
更に、受信したプレイリスト種別情報のプレイリストを有していないとデータサーバ１０２が判定したとき、プレイリスト未登録報知信号（プレイリスト種別入力欄４０２に入力された種別のプレイリストを有していない旨を報知する信号）を登録端末１０６へ送出する。
そして、登録端末１０６は、データサーバ１０２からのプレイリストを受信した（ステップ２０４）場合、この受信したプレイリストを表示し（ステップ２０５、２０６、２０７）、データサーバ１０２からプレイリスト未登録報知信号（プレイリスト種別入力欄４０２に入力された種別のプレイリストを有していない旨を報知する信号）を受信した（ステップ２０８）場合、図６の通り、プレイリスト種別入力欄４０２に入力した種別のプレイリストが未登録である旨を表示する（ステップ２０９）。未登録である旨を表示した後、プレイリスト種別入力欄４０２にプレイリストの種別が再度入力されると共に、表示ボタン４０７をマウスで再度クリックすることで、プレイリストの種別を再度選択する（ステップ２０２）と、データサーバ１０２へのプレイリスト要求信号とプレイリスト種別情報が再度送出される（ステップ２０３）。そして、データサーバ１０２からプレイリストを受信した（ステップ２０４）場合には、プレイリストが表示され（ステップ２０５、２０６、２０７）、データサーバ１０２からプレイリスト未登録報知信号を受信した（ステップ２０８）場合には、プレイリスト種別入力欄４０２に入力した種別のプレイリストが未登録である旨が表示される（ステップ２０９）。
なお、データサーバ１０２からのプレイリストを受信した（ステップ２０４）場合で、両プレイリストを受信した（ステップ２０５）とき、図４の通り、プレイリスト種別入力欄４０２に入力した種別のプレイリストをプレイリスト表示欄４０４に、プレイリスト種別入力欄４０２に入力した種別のプレイリスト以外のプレイリストをプレイリスト表示欄４０５に表示する（ステップ２０６）。一方、データサーバ１０２からのプレイリストを受信した（ステップ２０４）場合で、プレイリスト種別入力欄４０２に入力した種別のプレイリストのみを受信した（ステップ２０５）とき、図７の通り、プレイリスト種別入力欄４０２に入力された種別のプレイリスト（ＨＤと入力された場合には、地上デジタル放送波用の放送素材に関するプレイリスト、ＳＤと入力された場合には、地上アナログ放送波用の放送素材に関するプレイリスト）のみがプレイリスト表示欄４０４に表示される（ステップ２０７）。
図４の通り、両プレイリストが登録端末１０６に表示されたとき、地上デジタル放送波用プレイリストと地上アナログ放送波用のプレイリストとを同時にチェックすることができる。なお、両プレイリストが登録端末１０６に表示されている場合で同時スクロールボタン４０６をマウスでクリックすると、プレイリスト表示欄４０４に表示されたプレイリストとプレイリスト表示欄４０５に表示されたプレイリストとが同時に同じ方向にスクロールされる。同時スクロールボタン４０６をマウスでクリックしながら、地上デジタル放送波用プレイリストと地上アナログ放送用プレイリストとを見比べることにより、この２つのプレイリストの相違箇所を容易に見つけ出すことができる。同時スクロールボタン４０６ではなく、スクロールボタン４０８をマウスでドラッグするとプレイリスト表示欄４０４に表示されたプレイリストのみが、スクロールボタン４０９をマウスでドラッグするとプレイリスト表示欄４０５に表示されたプレイリストのみが、それぞれスクロールされる。なお、図７の通り、プレイリスト種別入力欄４０２に入力された種別のプレイリストのみが登録端末１０６に表示されたとき、スクロールボタン４０８をマウスでドラッグするとプレイリスト表示欄４０４に表示されたプレイリストのみがスクロールされる。
更に、図４の通り、両プレイリストが登録端末１０６に表示されたとき、プレイリスト種別入力欄４０２に、プレイリストの種別と共に所定の番組コードが入力されたとき、入力された種別、番組コードのプレイリストがプレイリスト表示欄４０４に表示され、一方、入力された種別とは異なる種別で、且つ入力された番組コードに係る番組と同一番組のプレイリストがプレイリスト表示欄４０５に表示される。例えば、プレイリスト種別入力欄４０２にＨＤ  Ｄ１０と入力されたとき、種別が地上デジタル放送波用で番組コードがＤ１０のプレイリストがプレイリスト表示欄４０４に表示され、種別が地上アナログ放送波用で番組コードがＡ１０のプレイリストがプレイリスト表示欄４０５に表示される。なお、同一番組の場合、地上デジタル放送波用と地上アナログ放送波用とでは、番組コードの下２桁が同じであることにより、プレイリスト種別入力欄４０２に入力された番組コードと下２桁が同一の番組コードのプレイリストを登録端末１０６が検索し、この検索によって得たプレイリストがプレイリスト表示欄４０５に表示される。
図４、図７の通り、プレイリストが登録端末１０６に表示された後、プレイリストに表示された各放送素材がビデオサーバ１０４に登録されているか否かを確認する場合、登録状況確認ボタン４１０をマウスでクリックする。登録状況確認ボタン４１０をマウスでクリックする（ステップ２１０、２１１）と、登録端末１０６は、データサーバ１０２に対して、各放送素材がビデオサーバ１０４に登録されているか否かの情報を要求する放送素材登録状況要求信号を送出する（ステップ２１２）。
データサーバ１０２は、登録端末１０６からの放送素材登録状況要求信号を受信すると、プレイリストに表示された各放送素材が登録済放送素材（ビデオサーバ１０４に登録済の放送素材）であるか否かを判定する。なお、各放送素材が登録済放送素材であるか否かの判定は、各放送素材の放送素材コードと対応する放送素材記憶アドレス情報（ビデオサーバ１０４での放送素材の記憶場所を示す情報）をデータサーバ１０２が有しているか否かに基づいて行う。具体的には、放送素材登録時において、登録制御装置１０５からの指令でＶＴＲ１０３から送出された放送素材がビデオサーバ１０４に登録されたとき、ビデオサーバ１０４からデータサーバ１０２へ放送素材記憶アドレス情報が送出され、この放送素材記憶アドレス情報がビデオサーバ１０４に登録された放送素材の放送素材コードと対応付けてデータサーバ１０２に記憶されることにより、データサーバ１０２は、登録済の放送素材についてはこの放送素材の放送素材コードと対応する放送素材記憶アドレス放送素材記憶アドレス情報を有しているため、各放送素材の放送素材コードと対応する放送素材記憶アドレス情報をデータサーバ１０２が有しているか否かに基づいて、登録済の放送素材であるか否かを判定する。
即ち、プレイリストに表示された放送素材の放送素材コードと対応する放送素材記憶アドレス情報をデータサーバ１０２が有しているとき、放送素材が登録済放送素材であると判定し、逆に、プレイリストに表示された放送素材の放送素材コードと対応する放送素材記憶アドレス情報をデータサーバ１０２が有していないとき、放送素材が未登録放送素材であると判定する。放送素材記憶アドレス情報の有無に基づいて、プレイリストに表示された全ての放送素材の登録状況の判定が行われた後、データサーバ１０２は、各放送素材の登録状況に関する情報である放送素材登録状況情報を登録端末１０６に送出する。
登録端末１０６は、データサーバ１０２からの放送素材登録状況情報を受信する（ステップ２１３）と、図８の通り、各放送素材の登録状況情報もプレイリストに載せて表示する（ステップ２１４）。その結果、プレイリストに表示された各放送素材がビデオサーバ１０４に登録されているか否かを、登録端末１０６のプレイリスト表示プログラムを実行することにより、確認することができる。
次に、監視端末１０８のプレイリスト表示プログラムを実行することによる各部の動作について、図３を用いて説明する。図３は、プレイリスト表示プログラムを実行させたときの監視端末１０８の動作を示すフローチャートである。監視端末１０８のプレイリスト表示プログラムは、電源を立ち上げてからプレイリストを表示させるまでの動作（ステップ３０１〜３０７）が登録端末１０６のプレイリスト表示プログラムと共通している（ステップ２０１〜ステップ２０７と共通している）ことにより、前述の登録端末１０６と同様に動作することで、プレイリストが表示される。監視端末１０８も、前述の登録端末１０６と同様にして、プレイリスト種別入力欄４０２に入力された種別のプレイリストだけでなく、このプレイリストと関連するプレイリスト（プレイリスト種別入力欄４０２に入力された種別と異なる種別のプレイリスト）もデータサーバ１０２が有している場合、両プレイリストを表示する。
一方、プレイリスト種別入力欄４０２に入力された種別のプレイリストをデータサーバ１０２が有しているものの、このプレイリストと関連するプレイリストを有していない場合、プレイリスト種別入力欄４０２に入力された種別のプレイリストのみを表示する。なお、監視端末１０８では、放送素材送出直前に、ビデオサーバ１０４に登録済の各放送素材の送出順序の確認を行うのに用いることにより、既にデータサーバ１０２にはプレイリストが格納済であるため、前述の登録端末１０６の動作説明の様に、データサーバからのプレイリスト未登録報知信号を受信して、プレイリストが未登録である旨を表示するという動作（ステップ２０８、２０９）は行わない。
以上のように、本実施例の放送番組送出装置では、地上デジタル放送波用の放送素材に関するプレイリストと地上アナログ放送波用の放送素材に関するプレイリストとを登録端末１０６もしくは監視端末１０８の表示画面に同時に表示させることができることにより、両プレイリストを同時に確認することができる。なお、本実施例の放送番組送出装置では、地上デジタル放送波用の放送素材に関するプレイリストと地上アナログ放送波用の放送素材に関するプレイリストとを有する場合について説明したが、本発明はこれに限定されるものではない。例えば、地上デジタル放送波用の放送素材及び地上アナログ放送波用の放送素材に関するプレイリスト以外に、携帯端末向け地上デジタル放送波用、あるいはＣＳ／ＢＳデジタル放送波用の放送素材に関するプレイリストを有する放送番組送出装置でも、同様にして、各プレイリストを登録端末もしくは監視端末の表示画面に同時に表示させることにより、全てのプレイリストを同時に確認することができる。また、本実施例では、１つのビデオサーバを用いたシステムで説明したが、本発明はこれに限定されるものではなく、複数のビデオサーバを用いたシステムにおいても適用できるものである。
【図面の簡単な説明】
【０００７】
【図１】本発明の一実施例である放送番組送出装置の構成を示すブロック図。
【図２】本発明の一実施例である放送番組送出装置における登録端末の動作を示すフローチャート。
【図３】本発明の一実施例である放送番組送出装置における監視端末の動作を示すフローチャート。
【図４】本発明の一実施例である放送番組送出装置の登録端末もしくは監視端末に表示されるプレイリスト画面を示す図。
【図５】本発明の一実施例である放送番組送出装置の登録端末もしくは監視端末に表示されるプレイリスト画面を示す図。
【図６】本発明の一実施例である放送番組送出装置の登録端末もしくは監視端末に表示されるプレイリスト画面を示す図。
【図７】本発明の一実施例である放送番組送出装置の登録端末もしくは監視端末に表示されるプレイリスト画面を示す図。
【図８】本発明の一実施例である放送番組送出装置の登録端末もしくは監視端末に表示されるプレイリスト画面を示す図。
【符号の説明】
【０００８】
１０１：ＥＤＰＳ端末   １０２：データサーバ
１０３：ＶＴＲ   １０４：ビデオサーバ
１０５：登録制御装置   １０６：登録端末
１０７：送出制御装置   １０８：監視端末
２０１〜２１４、３０１〜３０９：フローチャートのステップ
４０１：プレイリスト表示画面  ４０２：プレイリスト種別入力欄
４０３：プレイリスト種別表示欄 ４０４：プレイリスト表示欄
４０５：プレイリスト表示欄  ４０６：同時スクロールボタン
４０７：表示ボタン   ４０８：スクロールボタン
４０９：スクロールボタン  ４１０：登録状況確認ボタン
【図１】
0004648867.tif 000002
【図２】
0004648867.tif 000003
【図３】
0004648867.tif 000004
【図４】
0004648867.tif 000005
【図５】
0004648867.tif 000006
【図６】
0004648867.tif 000007
【図７】
0004648867.tif 000008
【図８】
0004648867.tif 000009